(57)【要約】  吸収性製品は、（ｉ）パッケージと、（ｉｉ）パッケージに収容される少なくとも１つの使い捨て吸収性物品と、を備える。パッケージは、窓エリアと紫外線バリアエリアとを備える。窓エリアは、紫外線バリアエリアよりも高い光透過率を呈する。紫外線バリアエリアは、窓エリアよりも低い紫外線透過率を呈する。吸収性物品は、液体透過性トップシートと、液体不透過性バックシートと、トップシート及びバックシートの間に配置される吸収性コアと、約１０ｇ／ｍ２以上の坪量を有する強化接着剤と、を含む。吸収性物品は、窓エリアを通して少なくとも部分的に見える図形を含む。強化接着剤は紫外線バリアエリアによって覆われている。
2010540064.tif 000002
【特許請求の範囲】
【請求項１】
（ｉ）窓エリアと紫外線バリアエリアとを備えるパッケージと、
（ｉｉ）前記パッケージに収容される少なくとも１つの使い捨て吸収性物品と、を備え、
前記窓エリアは、前記紫外線バリアエリアよりも高い光透過率を呈し、前記紫外線バリアエリアは、前記窓エリアよりも低い紫外線透過率を呈し、
前記吸収性物品は、長手方向及び前記長手方向に直交する横断方向に延び、
前記吸収性物品は、液体透過性トップシートと、液体不透過性バックシートと、前記トップシート及び前記バックシートの間に配置される吸収性コアと、約１０ｇ／ｍ２以上の坪量を有する強化接着剤と、を含み、
前記吸収性物品は、前記窓エリアを通して少なくとも部分的に見える図形を含み、
前記強化接着剤は、前記紫外線バリアエリアによって覆われている、吸収性製品。
【請求項２】
前記吸収性コアが、長手方向の側縁部と横断方向の末端縁部とを有し、
前記強化接着剤が、前記吸収性コアの長手方向の側縁部の横断方向に外側に設けられた漏れ防止接着剤である、請求項１に記載の吸収性製品。
【請求項３】
前記漏れ防止接着剤が、前記バックシートを前記トップシートに固定する、請求項２に記載の吸収性製品。
【請求項４】
前記使い捨て吸収性製品が、レッグカフを更に備え、
前記漏れ防止接着剤が、前記バックシートを前記レッグカフに固定する、請求項２に記載の吸収性製品。
【請求項５】
前記パッケージが、前パネルと、前記前パネルに対向する後パネルと、前記前パネルと前記後パネルとを接続する一対のサイドパネルと、前記前パネルと前記後パネルと前記サイドパネルとを接続する頂部パネルと、前記頂部パネルに対向する底パネルと、を備え、
前記窓エリアが少なくとも１つのサイドパネルに形成される、請求項１に記載の吸収性製品。
【請求項６】
前記窓エリアが、前記サイドパネルの総面積の約５％〜約８０％を占有する、請求項５に記載の吸収性製品。
【請求項７】
前記窓エリアが、約１５％〜約１００％の光透過率を有する、請求項１に記載の吸収性製品。
【請求項８】
前記紫外線バリアエリアが、約０％〜約７０％の光透過率を有する、請求項１に記載の吸収性製品。
【請求項９】
前記使い捨て吸収性物品が、前記吸収性物品の外面に設けられた使い捨てテープを更に含み、
前記使い捨てテープが、前記紫外線バリアエリアによって覆われている、請求項１に記載の吸収性製品。
【発明の詳細な説明】
【技術分野】
【０００１】
本発明は、パッケージと、パッケージに収容される少なくとも１つの吸収性物品と、を備える吸収性製品に関する。
【背景技術】
【０００２】
使い捨て吸収性物品は、通常、着用者の股部に着用される装置である。吸収性物品としては、おむつ、トレーニングパンツ、生理用ナプキン、パンティライナー、失禁パッド、吸汗脇パッド、看護用パッド、人排泄物処理装置などが挙げられる。それらのうち、例えばおむつ及びトレーニングパッドは、尿及び糞便のような排泄物を収容し、これらの物を着用者の身体及び周囲の物から隔離するために着用される。現在、排泄物を回収するために多様な使い捨て吸収性物品が使われている。
【０００３】
近年、透明又は半透明の窓付きのパッケージを備える吸収性製品が消費者に好まれていることが認識されてきたが、それは、そのような窓がパッケージ内に収容される吸収性物品を実際に見せるので、その窓を通して吸収性物品に関する情報を消費者が直接に得ることができるからである。これは、消費者の注意を引き付ける美的外観（例えば、上に印刷された図形）を有する近年の使い捨て吸収性物品にとって重要であり得る。
【０００４】
当該技術分野において周知のように、多くの場合、図形はおむつのバックシートに提供され、パッケージの窓を通して図形が見える。そのようなパッケージは、市場だけでなく家庭でも、消費者を惹き付けるのに便利である。
【０００５】
パッケージに透明又は半透明の窓を提供することによって、パッケージ内に収容される吸収性物品に深刻な問題が生じ得ることがわかった。例えば、透明の窓を有するパッケージ内のおむつは、その窓を通して入る紫外線の影響を受ける場合がある。透明又は半透明の窓は紫外線透過を呈する傾向があるので、窓に面した吸収性物品の一部が紫外線によって劣化する可能性がある。
【０００６】
一般に、おむつは、おむつの様々な要素を接合する接着剤を含んでいる。接着剤は、紫外線の影響を受けやすい傾向がある。接着剤は、紫外線を受けて変色又は硬化する場合がある。変色（又は黄変）は、パッケージの窓を通しておむつが見えるときに気付かれる得るものである。また、変色は、パッケージからおむつを取り出した後にも気付かれ得る。硬化は、使用者が実際におむつを取り扱うときに感知され得るものであり、また、おむつ着用中の不快感を増す原因となり得る。多量の接着剤が使用されていると、接着剤の変色は明らかに認識され得る。このように、おむつに含まれている接着剤に紫外線が与える影響は、容易に感知され得るものである。更に、一部の小売店では、日よけが提供されない店舗の外に商品陳列棚が作られることがある。窓付きのパッケージが日光に曝され、窓を通してパッケージ内のおむつの中の接着剤が紫外線を浴びると、接着剤が劣化する可能性がある。その結果、おむつの外観及び品質が傷つく可能性がある。
【発明の概要】
【発明が解決しようとする課題】
【０００７】
したがって、消費者の興味をそそるためにおむつの図形を見せる一方で、おむつに含まれている接着剤の劣化を防ぐパッケージが必要である。
【課題を解決するための手段】
【０００８】
本発明は、（ｉ）パッケージと、（ｉｉ）パッケージに収容される少なくとも１つの使い捨て吸収性物品と、を備える吸収性製品に関する。パッケージは、窓エリアと紫外線バリアエリアとを備える。窓エリアは、紫外線バリアエリアよりも高い光透過率を呈する。紫外線バリアエリアは、窓エリアよりも低い紫外線透過率を呈する。吸収性物品は、長手方向及び長手方向に直交する横断方向に延びる。吸収性物品は、液体透過性トップシートと、液体不透過性バックシートと、トップシート及びバックシートの間に配置される吸収性コアと、約１０ｇ／ｍ２以上の坪量を有する強化接着剤と、を含む。吸収性物品は、窓エリアを通して少なくとも部分的に見える図形を備える。強化接着剤は、紫外線バリアエリアによって覆われている。
【図面の簡単な説明】
【０００９】
本明細書は、本発明を具体的に指摘しかつ明確に主張する特許請求の範囲で完結するが、本発明は、添付の図面と共になされる好ましい実施形態の以下の説明により、より理解されると考えられる。添付の図面において、同様の参照符号は同一の要素を識別するものである。
【図１】図形を含む使い捨て吸収性物品の透視正面図。
【図２】サイドシームが外された図１の使い捨て吸収性物品の拡大図。
【図３】図２の使い捨て吸収性物品の線３−３’沿いの断面図。
【図４】図形が見える窓エリアを備えるパッケージの側面図。
【図５】複数の使い捨て吸収性物品を内部に収容するパッケージの透視図。
【図６】使い捨て吸収性物品とパッケージとの関係を示す、吸収性製品の側面図の実施形態。
【図７】バックシートを覆う不織布の外面に図形及び使い捨てテープを含む使い捨て吸収性物品の透視背面図。
【図８】図７の使い捨て吸収性物品の線８−８’沿いの断面図。
【図９】使い捨て吸収性物品とパッケージとの関係を示す、パッケージの側面図。
【図１０】図２の使い捨て吸収性物品の線１０−１０’沿いの断面図。
【発明を実施するための形態】
【００１０】
本明細書において、「備える」及び「含む」とは、最終結果に影響しない他の要素及び／又は他の工程を加えることができることを意味する。これらの用語のそれぞれは、「からなる」及び「から本質的になる」という用語を包含する。
【００１１】
本明細書において、「吸収性物品」とは、排泄物を吸収及び収容する物品を指し、おむつ、トレーニングパンツ、生理用ナプキン、パンティライナー、失禁パッド、吸汗脇パッド、看護用パッド、大人用おむつ、人排泄物処理装置などを含むことを意図する。
【００１２】
本明細書において、「使い捨て」とは、一回使用した後に廃棄する、堆肥化する、ないしは環境に適合した方式で処分することを意図する物品を指す。
【００１３】
本明細書において、「おむつ」とは、一般に幼児及び失禁症状のある人によって、着用者の下腹部周囲に着用される衣類を指し、身体からの排泄物（例えば尿、糞便）を吸収及び収容することを意図するものである。おむつは、例えば、プルオン式おむつ及びテープ式おむつを含む。プルオン式おむつとは、画定されたウェスト開口部と一対の脚部開口部とを有し、脚部開口部の中に脚を挿入してウェスト上まで該物品を引っ張り上げることによって着用者の身体上へと引っ張られるおむつのことをいう。テープ式おむつとは、一般的に、締着装置によって開放可能及び／又は再締着可能に連結される前側及び後側腰部区域を含むおむつを指す。
【００１４】
本明細書において、「接合される」とは、ある要素を別の要素に直接的に取り付けることによって、前記要素を別の要素に直接的に固定する構成、前記要素を中間部材（１つ又は複数）に取り付け、次いで、その中間部材を別の要素に取り付けることによって、前記要素を別の要素に間接的に固定する構成、及びある要素が別の要素と一体になっている構成、すなわち、ある要素が本質的には別の要素の一部になっている構成を包含する。
【００１５】
本明細書において、「身体に面する面」とは、着用者の身体に向く吸収性物品及び／又はそれらの構成要素部材の表面を指す。「外面」とは、吸収性物品が着用されたときに、着用者から離れて向く吸収性物品及び／又はそれらの構成要素部材の反対側の表面を指す。
【００１６】
吸収性物品、並びに液体透過性トップシートと、液体不透過性バックシートと、トップシート及びバックシートの間に配置される吸収性コアと、を含む該吸収性物品の構成要素、並びにそれらの構成要素部材の個々の層はいずれも、身体に面する面と外面とを有する。
【００１７】
本明細書において、「吸収性製品」は、パッケージと、パッケージに収容される少なくとも１つの使い捨て吸収性物品と、を備える。
【００１８】
図１及び２は、パッケージに収容される使い捨て吸収性物品の代表的な使い捨てプルオン式おむつを図示する。おむつ２０は、液体透過性トップシート２２と、トップシート２２に取り付けられた液体不透過性バックシート２４と、トップシート２２及びバックシート２４の間に配置される吸収性コア２６と、を備える。おむつ２０は、身体に面する面４２、及び身体に面する面４２と対向する外面４４を有する。おむつ２０は、おむつ２０の身体に面する面４２に設けられたレッグカフ３２を備える。
【００１９】
おむつ２０は、長手方向Ｌ及び横断方向Ｔに延びる。「長手方向」とは、おむつ２０を着用したときに直立した着用者を右半身と左半身とに分ける縦の面とほぼ整合する（およそ平行な）おむつ２０の平面における線、軸、又は方向を指す。「横断方向」又は「横方向」は互換可能であり、長手方向にほぼ垂直なおむつ２０の平面内の線、軸、又は方向を指す。おむつ２０は、一対の長手方向の側縁部４７及び一対の横断方向の末端縁部４８を備える。おむつ２０は、一対の腰部区域５０と、前部５２と、後部５４と、股部５６と、前部５２及び後部５４を接続する一対の弾性側部領域５８と、を備える。弾性側部領域５８はそれぞれ、２つの分離した弾性部分から形成され、それらを１つに接合してサイドシーム６２が形成される。
【００２０】
トップシート２２は、順応性で、柔らかな感触であり、着用者の皮膚に対して非刺激性であってよい。トップシート２２は、液体透過性又は浸透性であり、その厚さを排泄物が容易に貫通できるものである。液体透過性トップシート２２は、織布材料及び不織布材料（例えば、繊維の不織布ウェブ）；孔あき成形熱可塑性フィルム、孔あきプラスチックフィルム、及びハイドロフォーミングされた熱可塑性フィルム等の高分子材料；多孔質発泡体；網状発泡体；網状熱可塑性フィルム；並びに熱可塑性スクリム等の広範囲の材料から製造されてよい。トップシート２２が不織布ウェブを含むとき、同ウェブは、多数の既知の技術によって製造されてよい。例えば、ウェブは、スパンボンドされるか、毛羽立てられるか、湿式載置されるか、メルトブローンされるか、水流交絡されるか、上記の組み合わせなどを施されてもよい。トップシート２２の身体に面する面は、界面活性剤で処理することによって親水性にされてよい。トップシート２２の外面は、吸収性コア２６に付着されてよい。
【００２１】
バックシート２４は、排泄物に対して不透過性であってよく、薄いプラスチックフィルムから製造されてよく、また他の可撓性の液体不透過性材料を用いることもできる。バックシート２４は、吸収性コア２６に吸収及び収容された排泄物が吸収性物品２０から漏出するのを防ぐ。それ故、バックシート２４は、織布材料若しくは不織布材料、ポリエチレン若しくはポリプロピレンの熱可塑性フィルムなどの高分子フィルム、又はフィルムコーティングされた不織布材料などの複合材料を含んでもよい。バックシート２４は、単層材料又は複層材料を含むことができる。１つの実施形態において、バックシート２４は単層のポリエチレンフィルムであってよい。バックシート２４は、蒸気を吸収性コアから逃がす（「通気可能なバックシート」と呼ばれる）一方で、排泄物がバックシート２４を通過することは防止する微小多孔性構造を有することができる。
【００２２】
バックシート２４は、不織布２５で更に覆われてよい。図１の実施形態において、不織布２５は、バックシート２４の外面を覆うものである。不織布２５は、おむつ２０の感触を柔らかくすることができる。不織布２５は、全体にルースな質感であり、不織布２５によって覆われた物体はぼやけて見える。
【００２３】
吸収性コア２６は、身体からの排泄物を受け入れ、吸収し、及び／又は保持することができる。吸収性コア２６は、圧縮性及び適合性があり、装着者の皮膚に対して刺激がないものであり得る。吸収性コア２６は、一対の長手方向の側縁部７２と、一対の横断方向の末端縁部７４と、を有する。吸収性コア５０は、単層材料又は複層材料によって形成することができる。吸収性コア２６は、一般にエアフェルトと呼ばれる粉砕木材パルプなど、当該技術分野において既知の多様な液体吸収性材料のいずれを含んでもよい。吸収性コア２６は、マルチボンドエアレイド不織布材料を含んでもよい。吸収性コア２６は、多種多様の寸法及び形で製造されてもよい。したがって、吸収性コア２６は、その平面図において、いかなる形を取ることもできる。吸収性コア２６の形は、楕円形、長方形、砂時計の形、円形、正方形、及び他の任意の形を含んでよい。図２の実施形態において、コア２６は長方形である。
【００２４】
図１及び２を参照すると、おむつ２０は、一対の弾性ウェストバンド６４を腰部区域５０に備える。弾性ウェストバンド６４は、吸収性コア２６の横断方向の末端部７４の長手方向の外側に設けられる。弾性ウェストバンド６４は、おむつ２０の腰部区域５０に弾性を提供する。
【００２５】
図１、２、及び３を参照すると、おむつ２０は、排泄物のより良い収容をもたらすための一対のレッグカフ３２を更に備える。各レッグカフ３２は、おむつ２０の身体に面する面４２での脚部における排泄物の漏れを阻止又は低減するために、いくつかの異なる実施形態を含むことができる。レッグカフ３２は、ほぼ長手方向Ｌに延びて弾性ウェストバンド６４と重なり合うことにより、おむつ２０からの排泄物の漏れを阻止又は低減する。図３の実施形態において、レッグカフ３２は、取り付け手段３５によってトップシート２２に固定される。追加的に、又は別の方法として、レッグカフ３２は、取り付け手段３５によってバックシート２４及び／又は不織布２５に固定されてもよい。取り付け手段３５は、例えば、接着剤、熱接着、及び類似のものを含む。レッグカフ３２の材料は、忌避性不織布であってよい。レッグカフ３２は、通気可能及び液体不透過性であってよい。レッグカフ３２は、レッグカフ３２に弾性をもたらす伸縮素材３３を含む。伸縮素材３３は、弾性接着剤３６で少なくとも部分的に被覆される。レッグカフ３２は、レッグカフ３２の折り畳み構造を固定及び維持するために、複数の連続接合３７を含むことができる。連続接合３７として、例えば、接着剤、熱接着、及び類似のものを挙げることができる。図３の実施形態において、連続接合は熱接着である。連続接合３７は、おむつ２０の一対の横断方向の末端縁部４８の間でほぼ長手方向Ｌに延びてよい。
【００２６】
おむつ２０は、外から見える図形４０を含む。図形４０は、おむつ２０の腰部区域５０、前部５２、後部５４、及び／又は側部領域５８に設けられてよい。消費者の注意を引くために、図形４０は、前部５２及び後部５４に設けられてよい。図形４０は、前部５２から後部５４にかけて連続図形として延びてもよい。図１を参照すると、おむつ２０は、バックシート２４の外面に印刷された図形４０を含む。「図形」という用語は、画像、デザイン、模様、記号、しるし、又は類似のものを指すことができるが、これらに限定されない。図形としては、例えば、動物（例えば犬、猫、熊、リス、トラ、ライオン、鼠、狐など）、鳥（例えばツバメ、スズメ、鷲、アヒル、鷹、白鳥など）、人間、花のような植物（例えばタンポポ、バラ、チューリップ、桜の花、ヒマワリ、カーネーションなど）、木及び葉、星、月、漫画のキャラクター、玩具（例えば人形、バット、ボール、ラケットなど）、電気機器（例えば携帯電話、コンピュータなど）、飾り（例えばフリル、リボン、ボタン、ベルト、ネクタイ、野球帽、帽子など）、衣類のような模様（例えばデニム、縁どり、ストライプ、チェック、水玉模様など）、雪だるまのような季節の物又は品、風景などが挙げられる。図形４０は、バックシート２４の一部又はバックシート２４の実質的に全面に印刷されてよい。図形４０は、バックシート２４の身体に面する面に印刷されてもよい。図１の実施形態において、図形４０は、バックシートフィルムに印刷され、バックシートフィルムは不織布２５で更に覆われている。したがって、図形４０は不織布２５で覆われるとぼやけて見え、そのような図形４０を含むおむつ２０は、高級感があり洗練された外観である。図形４０は、不織布２５に印刷されてもよい。図形４０は、バックシート２４又は不織布２５以外の別の材料に印刷されてもよく（例えば、高分子フィルム、紙シートなど）、印刷された材料が、バックシート２４又は不織布２５に接合されてよい。図形は、グラビア印刷、フレキソ印刷、オフセット印刷、インクジェット印刷などを含む当該技術分野で既知のいかなる従来の印刷方法又は技術によっても印刷することができるが、これらに限定されない。図形４０は、おむつ２０の腰部区域５０、前部５２、後部５４、股部５６、及び／又は側部領域５８に配置されてよい。
【００２７】
吸収性物品２０は、接着剤を含む。「接着剤」とは、吸収性物品２０に含まれる材料を指し、１つの部分を別の部分に固定する。接着剤には、例えば、構造用接着剤及び強化（補強）接着剤が挙げられる。
【００２８】
「構造用接着剤」は、主に接着を目的として１つの部分を別の部分に固定することによって吸収性物品２０を構築するために用いることができる。構造用接着剤は、例えば、不織布２５をバックシート２４に固定する接着剤、バックシート２４を吸収性コア２６に固定する接着剤、吸収性コア２６をトップシート２２に固定する接着剤、ウェストバンド６４の伸縮素材を腰部区域５０に固定する接着剤などを含む。構造用接着剤として、約１０ｇ／ｍ２以下の坪量を有する接着剤が用いられてよい。約１０ｇ／ｍ２より大きい坪量を有する接着剤は、構造用接着剤として用いられると、接着剤の量を無駄にする可能性がある。
【００２９】
「強化（補強）接着剤」は、接着の目的に加えて、吸収性物品２０の機能を局所的に強化するために用いてよい。吸収性物品２０の機能を強化するために、約１０ｇ／ｍ２以上の坪量を有する接着剤を用いてよい。約１０ｇ／ｍ２未満の坪量を有する接着剤は、機能を確保するために十分ではない可能性がある。この接着剤の坪量は、約２００ｇ／ｍ２以下であることができる。約２００ｇ／ｍ２より大きい坪量を有する接着剤は、おむつ２０を激しく硬化する可能性がある。強化接着剤は、例えば、漏れ防止接着剤、使い捨てテープ接着剤、側部取り付け接着剤、弾性接着剤などを含む。強化接着剤の坪量が約１０ｇ／ｍ２以上であると、紫外線による劣化（例えば変色）が外側から感知できる場合がある。
【００３０】
漏れ防止接着剤は、吸収性コア２６からの排泄物の漏れを阻止又は低減するために使われる。漏れ防止接着剤３０は、バックシート２４の身体に面する面に実質的に長手方向Ｌに適用し、吸収性コア２６の長手方向の側縁部７２の横断方向に外側に設けられることができる。漏れ防止接着剤３０は、おむつ２０の一対の横断方向の末端縁部４８の間に実質的に連続的に適用されてよい。図２及び３の実施形態において、おむつ２０は、バックシート２４をトップシート２２に固定する漏れ防止接着剤３０を含んで、トップシート２２とバックシート２４との間を通る漏れを阻止又は低減する。別の実施形態において、漏れ防止接着剤は、バックシート２４をレッグカフ３２に固定して、バックシート２４とレッグカフ３２との間を通る漏れを阻止又は低減することができる。漏れ防止接着剤３０は、排泄物の漏れを防ぐために約２０ｇ／ｍ２以上の坪量を有することができる。漏れ防止接着剤３０の坪量は、約３０ｇ／ｍ２以上でもよい。漏れ防止接着剤３０の坪量は、約１５０ｇ／ｍ２以下であることができる。
【００３１】
使い捨てテープ接着剤は、使い捨てテープに使われる。図７を参照すると、吸収性物品２０は、おむつ２０の後部５４の外面４４に固定される使い捨てテープ６７を含む。図８は、線８−８’によって切断された図７の吸収性物品の部分断面図を図示する。この断面図は、使い捨てテープ６７の構造を図示する。使い捨てテープ６７は、排泄物を収容する汚れたおむつを廃棄するために固定するのに用いられ得る。使い捨てテープ６７は、吸収性物品２０の前部５２又は後部５４に固定されてよい。図７の実施形態において、プルオン式おむつ２０は、おむつ２０の後部５４の外面４４に固定された使い捨てテープ６７を含む。使い捨てテープ６７は、排泄物を収容する使用済みおむつを締結するために使われ、したがって、汚れたおむつは折り畳まれて排泄物を包む。使い捨てテープ６７は、使い捨てテープ接着剤７０を含む。
【００３２】
図８を参照すると、使い捨てテープ６７は、第１のセクション６７Ａと、第２のセクション６７Ｂと、第３のセクション６７Ｃと、を含む。第１のセクション６７Ａは、使い捨てテープ接着剤７０によって不織布２５に固定され、第１の接着部７６で使い捨てテープ接着剤７０によって第２のセクション６７Ｂに固定される。第２のセクション６７Ｂは、使い捨てテープ接着剤７０によって第２の接着部７７で第３のセクション６７Ｃに固定される。第１のセクション６７Ａは、第２のセクション６７Ｂに面する面に剥離剤７５を有することができる。第２のセクション６７Ｂも、第３のセクション６７Ｃに面する面に剥離剤７５を有することができる。好適な剥離剤７５は、シリコンのコーティング又はポリエチレン製の剥離ライナーであることができる。全体として、使い捨てテープ６７Ａ、６７Ｂ、及び６７Ｃの３つのセクションは、不織布２５の外面にＺ型の折り畳みを構成する。
【００３３】
第３のセクション６７Ｃは、第２の接着部７７の反対側の端部に使い捨てテープタブ６８を含む。使用者は使い捨てテープタブ６８引いて、廃棄するために使い捨てテープ６７の折り畳みを解除することができる。使い捨てテープタブ６８が引かれると、第１のセクション６７Ａは、部分的に第２のセクション６７Ｂから外れる。同様に、第２のセクション６７Ｂは、第３のセクション６７Ｃから部分的に外れる。にもかかわらず、３つのセクション６７Ａ、６７Ｂ、及び６７Ｃは、第１の接着部７６及び第２の接着部７７で、使い捨てテープ接着剤７０によって互いに部分的に固定されている。したがって、使い捨てテープタブ６８が引かれたとき、３つのセクション６７Ａ、６７Ｂ、及び６７Ｃは、汚れたおむつを巻くために使われる長い使い捨てテープを構成する。汚れたおむつは排泄物を内側に隠すために巻かれ、この巻かれた状態のおむつが使い捨てテープ６７で固定される。使い捨てテープ６７には、多様な種類の材料を使うことができる。図７及び８に図示した使い捨てテープ６７に用いられる材料は、ポリプロピレンフィルムである。
【００３４】
使い捨てテープ接着剤７０は、使い捨てテープ６７をおむつ２０に固定するために使うことができる。使い捨てテープ接着剤７０は、第１のセクション６７Ａと第２のセクション６７Ｂ、又は第２のセクション６７Ｂと第３のセクション６７Ｃのように、使い捨てテープ６７の２つの部分を付着させるためにも使ってよい。使い捨てテープ６７は、おむつ２０が着用されているときに容易に外れないように不織布２５に固定することができる。また、おむつ２０が着用されているときに容易に外れないように、第１のセクション６７Ａは第２のセクション６７Ｂに固定され、第２のセクション６７Ｂは第３のセクション６７Ｃに固定される。使い捨てテープ接着剤７０の接着能力は、使い捨てテープタブ６８が引かれたときに不織布２５に使い捨てテープ６７を固定して維持するのに十分な強さであってよい。不織布２５は比較的粗い表面を有するので、使い捨てテープ接着剤７０は、使い捨てテープ６７を不織布２５にしっかりと固定するために約２０ｇ／ｍ２以上の坪量を有することができる。使い捨てテープ接着剤７０の接着能力は、使い捨てテープタブ６８が引かれたときに、第１の接着部７６で第１のセクション６７Ａを第２のセクション６７Ｂに固定して維持し、第２の接着部７７で第２のセクション６７Ｂを第３のセクション６７Ｃに固定して維持するために十分な強さであってよい。使い捨てテープ接着剤７０の坪量は、約２５ｇ／ｍ２以上であることができる。使い捨てテープ接着剤７０の坪量は、約１５０ｇ／ｍ２以下であることができる。使い捨てテープ６７に用いられる材料としては、ポリプロピレンフィルム、ポリエチレンフィルム、共押出成型ポリエチレン及びエチレンビニルアセテートフィルムなどの高分子フィルムが挙げられるが、これらに限定されない。使い捨てテープの材料は、生分解性、再生利用可能、非生分解性、又は非再生利用可能な材料であってよい。図７及び８の実施形態において、使い捨てテープはポリプロピレンである。
【００３５】
側部取り付け接着剤は、側部領域の弾性部分をレッグカフ３２に固定するために用いられる。図１０の実施形態において、弾性部分５９は、柔らかさをもたらすために、身体に面する面及び外面がそれぞれ不織布２５及び６３によって覆われた弾性フィルム６０を含む。弾性部分５９は弾性を有してよい。図２を参照すると、側部取り付け接着剤６１は、実質的に長手方向Ｌに延びる。側部取り付け接着剤６１は、漏れ防止接着剤３０の横断方向に外側に設けられる。介護人が着用者におむつ２０を着用させるとき、介護人は、着せやすくするためにおむつ２０を引き延ばす場合がある。すると、側部取り付け接着剤６１は強い伸張力を受ける場合がある。この伸張力に抵抗するために、側部取り付け接着剤６１は、約４０ｇ／ｍ２以上の坪量を有することができる。側部取り付け接着剤６１の坪量は、約５０ｇ／ｍ２以上であることができる。側部取り付け接着剤６１の坪量は、約１８０ｇ／ｍ２以下であることができる。
【００３６】
脚弾性接着剤は、レッグカフ３２内で脚伸縮素材３３の位置を固定するために用いられる。脚伸縮素材３３は、おむつ２０を着用者の身体に適応させるために用いられる。図３の実施形態において、脚伸縮素材３３は、脚弾性接着剤３６によって少なくとも部分的に被覆される。脚弾性接着剤３６は、脚伸縮素材３３をレッグカフ３２に固定することができる。脚伸縮素材３３は、実質的に長手方向Ｌにレッグカフ３２に沿って延びる。図１及び３の実施形態において、脚弾性接着剤３６Ａは、漏れ防止接着剤３０の横断方向に外側に設けられる。図３の実施形態において、脚弾性接着剤３６Ｂは、漏れ防止接着剤３０の横断方向に内側に位置する。脚伸縮素材３３をしっかりと固定するために、脚弾性接着剤３６の坪量は、約１５ｇ／ｍ２以上であってよい。脚弾性接着剤３６の坪量は、約２０ｇ／ｍ２以上であることができる。脚弾性接着剤３６の坪量は、約１６０ｇ／ｍ２以下であることができる。
【００３７】
接着剤は、感圧性接着剤、非感圧性接着剤、ホットメルト接着剤などから選択されてよい。ＳＩＳ（スチレンイソプレンスチレンブロックコポリマー）、ＳＢＳ（スチレンブタジエンスチレンブロックコポリマー）、ポリオレフィンなど、当該技術分野において既知の任意の接着材料を接着剤に用いることができる。例えば、接着剤として用いてよいのは、フィンドレー（Findley）Ｈ２４０１（ＳＩＳポリマー）、フィンドレー（Findley）Ｈ２８６１（ＳＩＳポリマー）、フラー（Fuller）３１６６（ポリオレフィン）、及びＮＳＣ  ５１９（ＳＢＳポリマー）である。
【００３８】
図４は、パッケージと、パッケージ内の使い捨て吸収性物品と、を備える吸収性製品の側面図を図示する。図５は、図４のパッケージの透視図を図示する。パッケージ１００は、当該分野で既知の任意の形でよい。例えば、パッケージ１００は、多面体容器を画定又は形成する多面形を有することができる。パッケージ１００は平行６面体であり、前パネル１１と、前パネル１１に対向する後パネル１２と、前パネル１１と後パネル１２とを接続する一対のサイドパネル１３及び１４と、前パネル１１と後パネル１２とサイドパネル１３及び１４とを接続する頂部パネル１５と、頂部パネル１５に対向する底パネル１６と、を含む。
【００３９】
少なくとも１つの吸収性物品２０を収容するパッケージ１００は、カートン、並びに／又はパウチ及び袋のような可撓性パッケージとして構築されたものを含んでよい。パッケージ１００は、任意の好適な材料で形成されてよく、当該技術分野で既知の任意の構造を取ることができる。パッケージを構築するために使用される材料としては、ポリプロピレンフィルム、ポリエチレンフィルム、共押出成型ポリエチレン及びエチレンビニルアセテートフィルムなどのような高分子フィルム、並びに板紙及びコーティングされた紙が挙げられるが、これらに限定されない。パッケージ材料は、生分解性、再生利用可能、非生分解性、又は非再生利用可能な材料であってよい。図４及び５の実施形態において、パッケージ１００は、薄膜材料で形成された可撓性バッグである。パッケージ１００は、複数シートの相互付着又はそれらの組み合わせによって、単一シートの材料を操作して（例えば折り畳み）形成することができる。パッケージ１００は、ヒートシール、超音波、接着剤、フックアンドループファスナーなど、当該技術において既知の手段によって密閉又は接着されてよい。図４及び５に図示したパッケージ１００のフィルム材料は、ポリエチレンフィルムである。
【００４０】
吸収性物品２０を取り出すための開封装置を、パッケージ１００の任意のエリアに提供してもよい。図４及び５の実施形態において、おむつ２０を取り出すための開封装置１８は、サイドパネル１３に提供される。開封装置１８は、使用者がおむつ２０を容易に取り出せるように十分な大きさ（例えば長さ）を有することができる。開封装置１８は、当該技術分野で既知の任意の構造、形、及び寸法を取ることができる。開封装置１８は、サイドパネル１３内に延びる脆弱線を含むことができる。脆弱線は、サイドパネル１３に形成される穿孔線を含むことができる。脆弱線は、サイドパネル１３から、頂部パネル１５及び底パネル１６のような他のパネルに延出してよい。パッケージ１００の２つの側部は、材料フィルムを密閉することによって形成される頂部ガセット構造物８０を形成することによって閉じられる。
【００４１】
パッケージ１００は、窓エリア１０２と紫外線バリアエリア１０４とを備える。「窓エリア」とは、光透過率を呈するパッケージ１００の表面のエリアを指し、その結果、パッケージ１００に含まれるおむつ２０の図形４０は、そこを通して少なくとも部分的に見える。「紫外線バリアエリア」とは、紫外線の透過を阻止又は低減するパッケージ１００の表面のエリアを指す。窓エリア１０２は、紫外線バリアエリア１０４よりも高い光透過率を呈する。紫外線バリアエリア１０４は、窓エリア１０２よりも低い紫外線透過率を呈する。
【００４２】
窓エリア１０２は、そこを通して図形４０が見えるように、透明又は半透明であってよい。図４の実施形態において、窓エリア１０２は透明であり、紫外線バリアエリア１０４は不透明である。別の実施形態において、窓エリア１０２は半透明であってよく、紫外線バリアエリア１０４は不透明であってよい。更に別の実施形態において、窓エリア１０２は透明であってよく、紫外線バリアエリア１０４は半透明であってよい。光透過率及び紫外線透過率は、これら２つのエリアの間で区別される。そうでなければ、窓エリア１０２及び紫外線バリアエリア１０４は両方とも半透明でもよく、これら２つのエリアは、光透過率及び紫外線透過率の差異によって互いに区別される。紫外線バリアエリア１０４は、色差によって窓エリア１０２と区別されてもよい。例えば、紫外線バリアエリア１０４は、光透過及び紫外線透過を阻止又は低減する暗色を有することができ、窓エリア１０２は、紫外線バリアエリア１０４よりも高い光透過率及び紫外線透過率を呈する明色を有することができる。
【００４３】
窓エリア１０２及び紫外線バリアエリア１０４は、当該技術分野で既知の任意の手段によって形成することができる。窓エリア１０２は、当該技術分野で既知の透明又は半透明材料（例えば、ポリエチレン若しくはポリプロピレンの熱可塑性フィルムのような高分子フィルム、又はフィルムコーティングされた不織布材料などの複合材料）をそのまま又は着色して用いて作製することができる。紫外線バリアエリア１０４は、光透過率及び紫外線透過率を減らすために透明又は半透明の材料を着色することによって作製することができる。透明又は半透明の材料は、例えば印刷によって部分的に着色することができる。１つの実施形態において、透明又は半透明材料は部分的に印刷され、該材料の残りの部分は印刷されない。印刷されたエリアが紫外線バリアエリア１０４で、印刷されないエリアが窓エリア１０２であってよい。別の実施形態において、透明又は半透明材料フィルムのほぼ全面を印刷して、半透明窓エリア及び不透明エリアを提供することができる。そのような場合、透明又は半透明材料フィルムは、窓エリア１０２に相当するように少なくとも半透明になるように部分的に印刷され、該材料フィルムの残りの部分は紫外線バリアエリア１０４に相当するように不透明になるように印刷されてよい。材料フィルムは、グラビア印刷、フレキソ印刷、オフセット印刷、インクジェット印刷などを含む当該技術分野で既知のいかなる従来の印刷方法又は技術によっても印刷することができるが、これらに限定されない。
【００４４】
窓エリア１０２は、窓エリア１０２を通して図形４０が見える限り、パッケージ１００のいかなる場所に設けられてもよい。例えば、窓エリア１０２は、前パネル１１、後パネル１２、サイドパネル１３若しくは１４、頂部パネル１５、底パネル１６、又はそれらの組み合わせに設けられてよい。窓エリア１０２は、１つのパネルを超えて設けられてもよい。複数の窓エリア１０２がパッケージ１００に設けられてもよい。図４及び５の実施形態では、図形４０がおむつ２０に設けられており、図形４０は窓エリア１０２に面してよい。小売店は、図形４０が外から感知され得るように、サイドパネル１３内の窓エリア１０２を見せるように吸収性製品１を置くことができる。窓エリア１０２を通して感知され得る図形４０は、消費者を惹きつける働きをし得る。
【００４５】
窓エリア１０２は、円形、正方形、長方形、台形、長円形、三角形、楕円形、半円形、扇形、星型、又は他の任意の形状を取ることができる。図４及び５に図示した窓エリア１０２の形状は長方形である。窓エリア１０２は、窓エリア１０２を通して図形４０が効果的に見える限り、任意の大きさ又は寸法（例えば、長方形窓の長さと幅、円形窓の直径）を有することができる。「効果的に」とは、吸収性物品２０の図形４０を消費者が外から認知するための視認性の度合いを指す。窓エリア１０２は、窓エリア１０２を含むパネルより小さくてよい。図４及び５の実施形態において、窓エリア１０２の大きさはサイドパネル１３の大きさより小さい。例えば、窓エリア１０２の幅Ｗは、約４０ｍｍ〜約１００ｍｍであってよく、窓エリア１０２の高さＨは、約４０ｍｍ〜約２００ｍｍであってよい。図４及び５の実施形態において、窓エリア１０２は、窓エリア１０２を含むサイドパネル１３の総面積の約５％〜約８０％を占有してよい。窓エリア１０２は、おむつ２０に図形４０が提供されていることを購入地点で消費者が直接に理解することを可能にする。図形４０を見せるために、窓エリア１０２は中央領域１１２を覆うように位置付けられ、紫外線バリアエリア１０４は側部領域１１４を覆うように位置付けられる。
【００４６】
紫外線バリアエリア１０４は、紫外線吸収剤によって付加的に又は代替的に保護されてもよい。市販されている紫外線吸収剤の例としては、例えば、ベンゾフェノンタイプ（バイオソーブ（Viosorb）１１０、バイオソーブ１３０、エバソーブ（EVERSORB）１０、エバソーブ１１、エバソーブ１２）、ベンゾトリアゾールタイプ（バイオソーブ（Viosorb）５２０、バイオソーブ５５０、バイオソーブ５８２、バイオソーブ５８３、バイオソーブ５９０、バイオソーブ５９１、エバソーブ（EVERSORB）７０、エバソーブ７１、エバソーブ７２、エバソーブ７３、エバソーブ７４、エバソーブ７５、エバソーブ７６、エバソーブ２３４、エバソーブ７８、エバソーブ８０、エバソーブ８１、チヌビン（Tinuvin）２１３、チヌビン２３４、アデカスタブ（Adekastab）ＬＡ−３１）、ヒンダードアミン光安定剤（HALS）（サノール（Sanol）ＬＳ−７７０、サノールＬＳ−７６５、チヌビン６２２、チャイマソーブ（Chimassorb）９４４、サイアソーブ（Cyassorb）ＵＶ−３３４６、アデカスタブＬＡ−５７、チャイマソーブ１１９、エバソーブ９０、エバソーブ９１、エバソーブ９３、エバソーブＳ０２）、安息香酸塩タイプ（バイオソーブ８０、ＳＢ−ＵＶＡ  ６１２）などが挙げられる。
【００４７】
光透過率の範囲は、窓エリア１０２を通した図形４０の効果的な視野をもたらす。窓エリア１０２の光透過率は、約１５％〜約１００％であってよい。あるいは、窓エリア１０２の光透過率は、約２５％〜約１００％であってよい。窓エリア１０２は、紫外線バリアエリア１０４よりも約２０％高い光透過率を有してよい。光透過率を測定する方法は、「試験方法」のセクションで説明される。紫外線バリアエリア１０４の光透過率は、窓エリア１０２が紫外線バリアエリア１０４よりも高い光透過率を呈する限り、約０％〜約７０％であってよい。あるいは、紫外線バリアエリア１０４の光透過率は、約０％〜約５０％であってよい。より低い光透過率は、より低い紫外線透過率をもたらす働きをし得る。
【００４８】
紫外線透過率の範囲は、約１０ｇ／ｍ２以上の坪量を有する強化接着剤を紫外線から効果的に保護することができる。紫外線バリアエリア１０４の紫外線透過率は、約０％〜約５０％であってよい。あるいは、紫外線バリアエリア１０４の紫外線透過率は、約０％〜約２５％であってよい。紫外線バリアエリア１０４は、窓エリア１０２より約２０％低い紫外線透過率を有してよい。紫外線透過率を測定する方法は、「試験方法」のセクションで説明される。窓エリア１０２の紫外線透過率は、紫外線バリアエリア１０４が窓エリア１０２より低い紫外線透過率を呈する限り、約１５％〜約１００％であってよい。あるいは、紫外線バリアエリア１０４の紫外線透過率は、約２５％〜約１００％であってよい。当業者には容易に理解されるように、より低い紫外線透過率は、より高い紫外線阻止を意味する。
【００４９】
吸収性製品１は、パッケージ１００と、パッケージ１００内にある少なくとも１つの吸収性物品２０と、を備える。パッケージ１００は、少なくとも１つの吸収性物品２０を収容するための内部空間２を画定する。吸収性物品２０の図形４０は、全てが互いに同一であっても、互いに異なってもよい。図５の実施形態において、複数のおむつ２０は、パッケージ１００の内部空間２の中で圧縮されて１つのスタックを形成する。
【００５０】
図形４０が窓エリア１０２を通して見えるように、パッケージ１００内に少なくとも１つのおむつ２０が収容される。図４及び５の実施形態では、１つのおむつ２０の前部５２及び別のおむつの後部５４が互いに向き合えるように複数のおむつ２０が並べられる。おむつ２０は、側部領域５８が前部５２と後部５４との間に少なくとも部分的に隠れるように畳まれる。したがって、側部取り付け接着剤６１も、前部５２と後部５４との間に隠れ得る。
【００５１】
おむつ２０は、図形４０が窓エリア１０２に面することができるようにパッケージ１００に収容される。窓エリア１０２は、図形４０が少なくとも部分的に見えるようにする。強化接着剤は、紫外線バリアエリア１０４によって覆われる。紫外線バリアエリア１０４は、窓エリア１０２よりも低い紫外線透過率を呈するので、強化接着剤は紫外線から保護される。おむつ２０の外面４４は、窓エリア１０２を通して少なくとも部分的に見える。図形４０が窓エリア１０２に面しているとき、図形４０も少なくとも部分的に見える。複数のおむつ２０がパッケージ１００内に収容され得るので、１つのおむつ２０が取り出された後、そのおむつに隣接して並べられていた別のおむつ２０が見える。１つのおむつの図形４０が別のおむつの図形と異なるとき、消費者はパッケージ１００からおむつ２０を取り出すことを喜びに感じることができる。
【００５２】
図６の実施形態において、バックシート２４の身体に面する面の漏れ防止接着剤３０は、サイドパネル１３の紫外線バリアエリア１０４に覆われている。窓エリア１０２及び紫外線バリアエリア１０４の大きさ及び位置は、窓エリア１０２を通して図形４０が少なくとも部分的に見え、漏れ防止接着剤３０が紫外線バリアエリア１０４によって覆われ得るように決定されてよい。図形４０が外側から効果的に見えるようにするために、窓エリア１０２を、例えば、サイドパネル１３の比較的中央の領域１１２内に提供することができる。漏れ防止接着剤３０を効果的に保護するために、紫外線バリアエリア１０４を、サイドパネル１３の側部領域１１４を覆うように提供することができる。
【００５３】
図６を参照すると、漏れ防止接着剤３０は、紫外線からの保護のために紫外線バリアエリア１０４によって覆われている。漏れ防止接着剤３０と窓エリア１０２との間の最小距離Ｘは、約５ｍｍ〜約７０ｍｍであってよい。あるいは、漏れ防止接着剤３０と窓エリア１０２との間の最小距離Ｘは、約１０ｍｍ〜約７０ｍｍであってよい。最小距離Ｘは、窓エリア１０２に最も近い漏れ防止接着剤３０の一点と、それに対応する境界線１０６の点との間の長さによって決定される。
【００５４】
漏れ防止接着剤３０は、最小距離Ｘが約５ｍｍ未満であると、たとえ漏れ防止接着剤３０が窓エリア１０２に直接面していなくても、窓エリア１０２から回折する紫外線を受ける場合がある。最小距離Ｘが約５ｍｍ以上であれば、漏れ防止接着剤３０は、窓エリア１０２から回折する紫外線を受けることなく、紫外線により保護される。おむつ２０及びパッケージ１００は、漏れ防止接着剤３０が紫外線バリアエリア１０４によって覆われ得るように設計される。最小距離Ｘが約５ｍｍ以上のとき、おむつ２０は、たとえおむつ２０が横にずれて収容されても漏れ防止接着剤３０が紫外線バリアエリアによって十分に覆われるように設けられる方法でパッケージ１００に収容され得る。
【００５５】
図９は、吸収性製品１の側面図の実施形態を、おむつ２０とパッケージ１００との関係を示すように図示する。おむつ２０は、使い捨てテープ６７がサイドパネル１３の紫外線バリアエリア１０４によって覆われ、使い捨てテープ接着剤７０が紫外線から保護されるように、パッケージ１００に収容される。この実施形態において、窓エリア１０２はおむつ２０の後部５４に面しており、漏れ防止接着剤３０及び使い捨てテープ接着剤７０は両方とも紫外線バリアエリア１０４によって覆われ、紫外線から保護される。
【００５６】
おむつ２０は、側部領域５８が前部５２及び／又は後部５４の外に露出されるようにパッケージ１００に収容されてもよい。この実施形態において、紫外線バリアエリア１０４は、側部取り付け接着剤６１を覆うように調整され得る。漏れ防止接着剤３０及び側部取り付け接着剤６１は両方とも、紫外線バリアエリア１０４によって保護される。別の方法として、おむつ２０は、側部領域５８が前部５２と後部５４との間に少なくとも部分的に織り込まれるようにパッケージ１００に収容されてもよい。したがって、側部取り付け接着剤６１は、前部５２と後部５４との間に挟むことができる。前部５２及び／又は後部５４が側部取り付け接着剤６１を紫外線から保護するとき、側部取り付け接着剤６１は、前部５２及び／又は後部５４によって紫外線から保護されるので、側部取り付け接着剤６１は部分的に窓エリア１０２に面してもよい。
【００５７】
弾性接着剤３６は、紫外線バリアエリア１０４によって覆われてよい。図１を参照すると、弾性接着剤３６Ａは、漏れ防止接着剤３０の横断方向に外側に設けられる。したがって、漏れ防止接着剤３０が窓エリア１０２の外に位置付けられた場合、弾性接着剤３６Ａも窓エリア１０２の外側に配置され、弾性接着剤は紫外線バリアエリア１０４によって覆われることになり、紫外線から保護される。漏れ防止接着剤３０及び弾性接着剤３６Ａは両方とも、紫外線バリアエリア１０４によって保護される。図３を参照すると、弾性接着剤３６Ｂは、漏れ防止接着剤３０の横断方向に内側に位置付けられる。しかし、おむつ２０が外から見られるとき、この弾性接着剤３６Ｂは、トップシート２２と吸収性コア２６とバックシート２４と不織布２５との多層の内側に設けられる。したがって、弾性接着剤３６Ｂは、この多層によって紫外線から保護されることになる。したがって、たとえ弾性接着剤３６Ｂが窓エリア１０２に面するように位置付けられても、おむつ２０がパッケージ１００に収容されているとき、弾性接着剤３６Ｂは劣化しない。
【００５８】
窓エリア１０２は、紫外線バリアエリア１０４よりも高い光透過率を呈するので、吸収性製品１は、この窓エリア１０２を通して外から図形４０を見ることを可能にする。結果として、消費者は、吸収性物品２０が図形４０を有することに、パッケージ１００の外側から容易に気付くことができ、図形４０が消費者を惹きつける。紫外線バリアエリア１０４は、窓エリア１０２よりも低い紫外線透過率を呈するので、約１０ｇ／ｍ２以上の坪量を有する強化接着剤は、紫外線バリアエリア１０４によって紫外線から保護される。吸収性製品１は、たとえ吸収性製品１が小売店の外に陳列されても強化接着剤を紫外線に露出しないので、吸収性物品２０の品質を維持するために（例えば、変色、硬化、接着能力の損失などからの保護に）有用である。
【００５９】
試験方法
このセクションは、シート材料の光透過率及び紫外線透過率を測定する方法を説明する。
【００６０】
１．光透過率
この測定では、実験に望ましい光源を採取するために、ＵＶ−ＶＩＳ−ＮＩＲ分光光度計（島津製作所製ＵＶ−３６００）を用いる。このＵＶ−ＶＩＳ−ＮＩＲ分光光度計は、ハロゲンランプを有する光源と、サンプルホルダと、分光計と、光電子倍増管及びＩｎＧａＡｓ光ダイオード及びＰｂＳセルからなる検出器装置と、コンピュータと、を含む。光源を、サンプルホルダの一方の側から離して置き、同時に、検出器は、光の通路にサンプルホルダのもう一方の側から離して置く。
【００６１】
測定では、ハロゲンランプを点灯する。サンプルシート材料は、サンプルホルダによって保持され、ハロゲンランプが放射する光を有効測定エリアに受ける。光はサンプルシート材料を透過し、検出器に到達する。次に、サンプルの光量（Ｖｓ）及びサンプルなしの参照光量（Ｖｒ）を検出器で測定し、コンピュータで記録する。このプロセスを１つのサンプルシート材料について少なくとも３回繰り返し、平均光量値（Ｖｒａｖ及びＶｓａｖ）をコンピュータで計算及び記録する。次に、コンピュータは、次式により光透過率（ＬＴ）を計算する。  
ＬＴ（％）＝（Ｖｓａｖ／Ｖｒａｖ）×１００−−−（Ｉ）
【００６２】
２．紫外線透過率試験
この測定は、ＵＶ−ＶＩＳ−ＮＩＲ分光光度計（島津製作所製ＵＶ−３６００）を用いて前記光透過率試験と同じ方法で行われるが、この測定では、波長範囲が２５０ｍｍ〜４００ｍｍの紫外線を採取する。紫外線透過率は、３４０ｎｍの波長で測定される。
【００６３】
本明細書で説明した実施例及び実施形態は例示の目的だけであって、様々な修正又は変更が、本発明の範囲から逸脱することなく、当業者によって想起されるであろう。
【００６４】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲との両方を意味することを意図されている。例えば、「４０ｍｍ」として開示した寸法は、「約４０ｍｍ」を意味することを意図したものである。
【００６５】
あらゆる相互参照又は関連特許若しくは特許出願を含む、本明細書に引用される文献はすべて、明白に除外さもなくば限定されている場合を除いて、本明細書中にその全容を援用するものである。いずれの文献の引用もこうした文献が本明細書中で開示又は権利請求される任意の発明に対する先行技術であることを容認するものではなく、また、こうした文献が、単独で、あるいは他のあらゆる参照文献との組み合わせにおいて、こうした発明のいずれかを参照、教示、示唆又は開示していることを容認するものでもない。更には、本文書における用語のいずれかの意味又は定義が、援用文献における同一の用語のいずれかの意味又は定義と相反する限りにおいて、本文書においてその用語に与えられた意味又は定義を優先するものとする。
【００６６】
本発明の特定の実施形態を例示し記載してきたが、本発明の趣旨及び範囲から逸脱することなく、他の種々の変更及び修正が可能であることは、当業者にとって明らかであろう。したがって、本発明の範囲内にあるような全ての変形及び修正は、添付の特許請求の範囲に包含されるものとする。
【図１】
2010540064.tif 000003
【図２】
2010540064.tif 000004
【図３】
2010540064.tif 000005
【図４】
2010540064.tif 000006
【図５】
2010540064.tif 000007
【図６】
2010540064.tif 000008
【図７】
2010540064.tif 000009
【図８】
2010540064.tif 000010
【図９】
2010540064.tif 000011
【図１０】
2010540064.tif 000012
【国際調査報告】
2010540064.tif 000013
2010540064.tif 000014